(57)【要約】【課題】イオンコレクタの汚染状態に応じて感度を補正し、正確な圧力指示値が得られるようにした熱陰極電離真空計を提供する。【解決手段】フィラメント１、グリッド２及びイオンコレクタ３を有するセンサ本体Ｓｂと制御手段Ｃｐと、測定しようとする測定対象物Ｍｏ内の圧力範囲に応じて、エミッション電流を切り換える電流切換部を備える熱陰極電離真空計ＩＧは、予め設定される感度を標準感度、上記圧力範囲のうち比較的高い範囲を測定するときのエミッション電流を第１エミッション電流、上記圧力範囲のうち比較的低い範囲を測定するときのエミッション電流を第２エミッション電流として、制御手段は、第１及び第２の各エミッション電流にて前記関係式から第１圧力と第２圧力とを夫々算出し、その後に、第２エミッション電流にて測定対象物の圧力を指示するのに際しては、第１圧力と第２圧力とに基づいて標準感度を補正した感度を用いる。【選択図】図１
2020118555.tif 000002
【特許請求の範囲】
【請求項１】
フィラメント、グリッド及びイオンコレクタを有するセンサ本体と制御手段とを備え、
制御手段は、測定対象物に本体を装着した状態でフィラメントに通電してこのフィラメントを点灯させて熱電子を放出させ、フィラメントより高い電位をグリッドに付与して、このグリッド周辺で熱電子と衝突して生じた気体原子、分子の正イオンをイオンコレクタで捕集し、このときイオンコレクタを流れるイオン電流をＩｉ、感度をＳ、フィラメントとグリッドとの間のエミッション電流をＩｅとして、Ｉｉ＝Ｉｅ×Ｓ×Ｐの関係式から測定対象物内の圧力Ｐを指示する熱陰極電離真空計であって、
測定しようとする測定対象物内の圧力範囲に応じて、エミッション電流を切り換える電流切換部を備えるものにおいて、
予め設定される感度を標準感度、上記圧力範囲のうち比較的高い範囲を測定するときのエミッション電流を第１エミッション電流、上記圧力範囲のうち比較的低い範囲を測定するときのエミッション電流を第２エミッション電流として、制御手段は、第１及び第２の各エミッション電流にて前記関係式から第１圧力と第２圧力とを夫々算出し、その後に、第２エミッション電流にて測定対象物の圧力を指示するのに際しては、第１圧力と第２圧力とに基づいて標準感度を補正した感度を用いることを特徴とする熱陰極電離真空計。
【請求項２】
前記第１圧力と前記第２圧力とが測定対象物の圧力を一定にした状態で夫々検出され、制御手段は、第２圧力に対する第１圧力の圧力比と前記標準感度とから、第２エミッション電流にて測定対象物の圧力を指示するときの標準感度を補正することを特徴とする請求項１記載の熱陰極電離真空計。
【請求項３】
請求項１記載の熱陰極電離真空計であって、測定対象物に真空ポンプが接続され、真空ポンプを作動させて測定対象物内を真空排気したとき、この測定対象物内の圧力を指示するのに用いられるものにおいて、
前記第１圧力と前記第２圧力とは、真空ポンプを作動させて測定対象物内を所定圧力まで真空排気した後、測定対象物内を隔絶したビルドアップ状態で夫々検出され、
制御手段は、単位時間あたりの第２圧力の圧力上昇量に対する第１圧力の圧力上昇量の圧力上昇比と標準感度とから、切換後の第２エミッション電流にて測定対象物の圧力を指示するときの標準感度を補正することを特徴とする熱陰極電離真空計。
【請求項４】
請求項１記載の熱陰極電離真空計であって、測定対象物に真空ポンプが接続され、真空ポンプを作動させて測定対象物内を真空排気したとき、この測定対象物内の圧力を指示するのに用いられるものにおいて、
前記電流切換部により第１エミッション電流から第２エミッション電流に切り換わる前に、第１エミッション電流にて、単位時間当たりの前記第１圧力の圧力降下速度を求め、この求めた圧力降下速度から第２エミッション電流に切り換えた後の前記第２圧力を推測し、この推定圧力に対する第２エミッション電流にて検出された第２圧力との比を求め、
制御手段は、上記で計算された比と標準感度とから、第２エミッション電流にて測定対象物の圧力を指示するときの標準感度を補正することを特徴とする熱陰極電離真空計。
【請求項５】
前記標準感度に対する補正後の感度の比を外部機器に出力する出力手段を備えることを特徴とする請求項１〜請求項４のいずれか１項に記載の熱陰極電離真空計。
【請求項６】
前記標準感度に対する補正後の感度の比が所定値を超えたときにセンサ異常を報知する報知手段を備えることを特徴とする請求項１〜請求項５のいずれか１項に記載の熱陰極電離真空計。
【請求項７】
請求項１〜請求項６のいずれか１項に記載の熱陰極電離真空計と、前記制御手段に通信回線を介して通信自在に接続が可能な外部機器とを備える圧力測定システムにおいて、
外部機器が、夫々算出された前記第１圧力と前記第２圧力との入力を受けると、前記標準感度を補正した感度を算出する演算部と、演算部で算出した感度を記憶する記憶部とを有し、第２エミッション電流にて測定対象物の圧力を指示するのに際しては、記憶部に記憶された感度を用いる指令を前記制御手段に出力するように構成したことを特徴とする圧力測定システム。
【請求項８】
測定対象物に本体を装着した状態でフィラメントに通電してこのフィラメントを点灯させて熱電子を放出させ、フィラメントより高い電位をグリッドに付与して、このグリッド周辺で熱電子と衝突して生じた気体原子、分子の正イオンをイオンコレクタで捕集し、このときイオンコレクタを流れるイオン電流をＩｉ、感度をＳ、フィラメントとグリッドとの間のエミッション電流をＩｅとして、Ｉｉ＝Ｉｅ×Ｓ×Ｐの関係式から測定対象物内の圧力Ｐを指示し、測定しようとする測定対象物内の圧力範囲に応じて、エミッション電流を切り換える工程を含む圧力測定方法において、
予め設定される感度を標準感度、上記圧力範囲のうち比較的高い範囲を測定するときのエミッション電流を第１エミッション電流、上記圧力範囲のうち比較的低い範囲を測定するときのエミッション電流を第２エミッション電流とし、第１及び第２の各エミッション電流にて前記関係式から第１圧力と第２圧力とを夫々算出する工程と、第２エミッション電流にて測定対象物の圧力を指示するのに際し、第１圧力と第２圧力とに基づいて標準感度を補正した感度を用いる工程とを更に含むことを特徴とする圧力測定方法。
【発明の詳細な説明】
【技術分野】
【０００１】
本発明は、真空容器等の測定対象物の圧力（全圧）を測定するための熱陰極電離真空計、熱陰極電離真空計を備える圧力測定システム並びに熱陰極電離真空計を用いた圧力測定方法に関する。
【背景技術】
【０００２】
スパッタリングや蒸着による成膜等、真空処理装置内で実施される真空プロセスにおいては、真空処理装置の真空容器内の圧力が、例えば製品歩留まりに大きな影響を与える場合がある。真空プロセス中、測定対象物としての真空容器内の圧力のうち１Ｐａ〜１０−６Ｐａの広い範囲を精度よく測定するものとして熱陰極電離真空計が一般に知られている。熱陰極電離真空計は、通常、フィラメント、グリッド及びイオンコレクタを有する本体と制御手段とで構成される。
【０００３】
真空容器内の圧力を測定する場合、本体を真空容器に装着した状態でその内部が真空排気されると、制御手段は、フィラメントに通電してこのフィラメントを点灯させて熱電子を放出させ、フィラメントより高い電位をグリッドに付与する。このとき、このグリッド周辺で熱電子と衝突して生じた気体原子、分子の正イオンがイオンコレクタで捕集される。そして、制御手段は、イオンコレクタを流れるイオン電流をＩｉ、感度をＳ、フィラメントとグリッドとの間のエミッション電流をＩｅとして、Ｉｉ＝Ｉｅ×Ｓ×Ｐの関係式から真空容器内の圧力Ｐが圧力指示値として算出する。この算出された圧力指示値は、ディスプレイなどの外部機器に出力して表示できるようになっている。このとき、測定しようとする真空容器内の圧力範囲に応じて、エミッション電流を切り換える電流切換部を設け、例えば、上記圧力範囲のうち比較的高い範囲（例えば、１Ｐａ〜１０−２Ｐａ）を測定するときのエミッション電流を第１エミッション電流、上記圧力範囲のうち比較的低い範囲（１０−２Ｐａ〜１０−６Ｐａ）を測定するときのエミッション電流を第２エミッション電流として圧力指示値を得ることが知られている（例えば、特許文献１参照）。
【０００４】
ところで、上記熱陰極電離真空計によって真空容器内の圧力を測定していると、何等かの原因で真空容器内の分子や原子がイオンコレクタに付着して汚染される場合がある。そして、イオンコレクタが汚染されると、汚染層に起因して正イオンの流入が妨げられることで、実際の圧力より低い圧力を圧力指示値として指示してしまうことが一般に知られている。特に、比較的大きいエミッション電流により圧力測定しているような場合には、フィラメントからの熱電子の放出量が多くなって気体原子、分子の正イオンの量が多くなるが、有効に流入できないことで、実際の圧力より一層低い圧力を圧力指示値として指示してしまい、これでは、比較的低い圧力範囲（１０−２Ｐａ〜１０−６Ｐａ）を正確に測定できない。
【０００５】
このような問題の解決策として、真空容器に、熱陰極電離真空計以外の基準となる真空計を別途設け、この基準真空計で測定した圧力から標準感度を補正することが知られている（例えば、特許文献２参照）。然し、このように複数類の真空計を常時用いるのでは、例えば部品点数が増加してコスト高を招く。
【先行技術文献】
【特許文献】
【０００６】
【特許文献１】特開平６−１２９９３４号公報
【特許文献２】特開２０１１−１９１２８４号公報
【発明の概要】
【発明が解決しようとする課題】
【０００７】
本発明は、以上の点に鑑み、イオンコレクタの汚染状態に応じて感度を補正し、正確な圧力指示値が得られるようにした熱陰極電離真空計、この熱陰極電離真空計を備える圧力測定システム並びに熱陰極電離真空計を用いた圧力測定方法を提供することをその課題とする。
【課題を解決するための手段】
【０００８】
上記課題を解決するために、フィラメント、グリッド及びイオンコレクタを有する本体と制御手段とを備え、制御手段は、測定対象物に本体を装着した状態でフィラメントに通電してこのフィラメントを点灯させて熱電子を放出させ、フィラメントより高い電位をグリッドに付与して、このグリッド周辺で熱電子と衝突して生じた気体原子、分子の正イオンをイオンコレクタで捕集し、このときイオンコレクタを流れるイオン電流をＩｉ、感度をＳ、フィラメントとグリッドとの間のエミッション電流をＩｅとして、Ｉｉ＝Ｉｅ×Ｓ×Ｐの関係式から測定対象物内の圧力Ｐを指示する本発明の熱陰極電離真空計は、制御手段が、測定しようとする測定対象物内の圧力範囲に応じて、エミッション電流を切り換える電流切換部を備え、予め設定される感度を標準感度、上記圧力範囲のうち比較的高い範囲を測定するときのエミッション電流を第１エミッション電流、上記圧力範囲のうち比較的低い範囲を測定するときのエミッション電流を第２エミッション電流として、制御手段は、第１及び第２の各エミッション電流にて前記関係式から第１圧力と第２圧力とを夫々算出し、その後に、第２エミッション電流にて測定対象物の圧力を指示するのに際しては、第１圧力と第２圧力とに基づいて標準感度を補正した感度を用いることを特徴とする。なお、本発明において、「第１圧力」及び「第２圧力」には、前記関係式から直接算出される値だけでなく、これらから夫々推測される値も含まれる。
【０００９】
本発明において、前記第１圧力と前記第２圧力とが測定対象物の圧力を一定にした状態で夫々検出され、制御手段は、第２圧力に対する第１圧力の圧力比と前記標準感度とから、切換後の第２エミッション電流にて測定対象物の圧力を指示するときの標準感度を補正すればよい。
【００１０】
また、本発明において、測定対象物に真空ポンプが接続され、真空ポンプを作動させて測定対象物内を真空排気したとき、この測定対象物内の圧力を指示するのに用いられるような場合には、前記第１圧力と前記第２圧力とは、真空ポンプを作動させて測定対象物内を所定圧力まで真空排気した後、測定対象物内を隔絶したビルドアップ状態で夫々検出され、制御手段は、単位時間あたりの第２圧力の圧力上昇量に対する第１圧力の圧力上昇量の圧力上昇比と標準感度とから、切換後の第２エミッション電流にて測定対象物の圧力を指示するときの標準感度を補正することができる。他方で、前記電流切換部により第１エミッション電流から第２エミッション電流に切り換わる前に、第１エミッション電流にて、単位時間当たりの前記第１圧力の圧力降下速度を求め、この求めた圧力降下速度から第２エミッション電流に切り換えた後の前記第２圧力を推測し、この推定圧力に対する第２エミッション電流にて検出された第２圧力との比を求め、制御手段は、上記で計算された比と標準感度とから、第２エミッション電流にて測定対象物の圧力を指示するときの標準感度を補正することができる。
【００１１】
また、上記課題を解決するために、本発明の圧力測定方法は、測定対象物に本体を装着した状態でフィラメントに通電してこのフィラメントを点灯させて熱電子を放出させ、フィラメントより高い電位をグリッドに付与して、このグリッド周辺で熱電子と衝突して生じた気体原子、分子の正イオンをイオンコレクタで捕集し、このときイオンコレクタを流れるイオン電流をＩｉ、感度をＳ、フィラメントとグリッドとの間のエミッション電流をＩｅとして、Ｉｉ＝Ｉｅ×Ｓ×Ｐの関係式から測定対象物内の圧力Ｐを指示し、測定しようとする測定対象物内の圧力範囲に応じて、エミッション電流を切り換える工程を含み、予め設定される感度を標準感度、上記圧力範囲のうち比較的高い範囲を測定するときのエミッション電流を第１エミッション電流、上記圧力範囲のうち比較的低い範囲を測定するときのエミッション電流を第２エミッション電流とし、第１及び第２の各エミッション電流にて前記関係式から第１圧力と第２圧力とを夫々算出する工程と、第２エミッション電流にて測定対象物の圧力を指示するのに際し、第１圧力と第２圧力とに基づいて標準感度を補正した感度を用いる工程とを更に含むことを特徴とする。
【００１２】
以上によれば、例えば、測定対象物の圧力測定時、その内部の圧力に応じてエミッション電流を比較的小さい第１エミッション電流（例えば１０μＡ）と比較的大きい第２エミッション電流（例えば１ｍＡ）との二段階に制御可能とし、圧力を一定にした状態（例えば１×１０−３Ｐａ）で、第１電流及び第２電流のエミッション電流毎に上記関係式から圧力指示値をみると、第１エミッション電流では、イオンコレクタの汚染状態が進行しても、圧力指示値が略一定になるのに対し、第２エミッション電流では、イオンコレクタの汚染の進行に伴って、圧力指示値が次第に低下することが判った。そこで、本発明では、第１エミッション電流（例えば、上記第１電流）と第２エミッション電流（例えば、上記第２電流）にて第１圧力及び第２圧力を夫々検出し、その後に、第２エミッション電流にて測定対象物の圧力を指示するのに際しては、第１圧力と第２圧力とに基づいて標準感度を補正した感度を用いることで、電離真空計以外の基準真空計を利用することなく、圧力指示値を得ることが可能になる。この場合、真空容器内を大気開放したりする必要はなく、有利である。
【００１３】
ここで、上記のように感度を補正する場合、これに併せて基準感度に対する補正後の感度の比を求めれば、センサ本体の構成要素としてのフィラメントやイオンコレクタの異常（寿命を含む）を判断することができる。そこで、本発明においては、前記標準感度に対する補正後の感度の比を外部機器に出力する出力手段や、前記標準感度に対する補正後の感度の比が所定値を超えたときにセンサ異常を報知する報知手段を備えることが好ましい。
【００１４】
また、上記課題を解決するために、上記熱陰極電離真空計と、前記制御手段に通信回線を介して通信自在に接続が可能な外部機器とを有する本発明の圧力測定システムは、外部機器が、夫々算出された前記第１圧力と前記第２圧力との入力を受けると、前記標準感度を補正した感度を算出する演算部と、演算部で算出した感度を記憶する記憶部とを有し、第２エミッション電流にて測定対象物の圧力を指示するのに際しては、記憶部で記憶した感度を用いる指令を前記制御手段に出力するように構成したことを特徴とする。これによれば、熱陰極電離真空計自体の構成を簡単なものにでき、有利である。
【図面の簡単な説明】
【００１５】
【図１】本発明の実施形態の熱陰極電離真空計の構成を模式的に示す図。
【図２】真空容器内の圧力を一定にした状態での圧力指示値の変化を示す図。
【図３】ビルドアップ状態での圧力指示値の変化を示す図。
【図４】真空排気時の圧力指示値の変化を示す図。
【発明を実施するための形態】
【００１６】
以下、図面を参照して、本発明の熱陰極電離真空計の実施形態を説明する。以下においては、測定対象物である真空容器Ｍｏに対する後述のセンサ本体Ｓｂの装着方向を上方として説明する。
【００１７】
図１を参照して、本実施形態の熱陰極電離真空計ＩＧは、センサ本体Ｓｂと制御ユニットＣｕとで構成される。この場合、センサ本体Ｓｂと制御ユニットＣｕとは一体に構成することもでき、他方で、センサ本体Ｓｂと制御ユニットＣｕとを配線接続するように構成することもできる。センサ本体Ｓｂは、有底筒状の容器（エンベロープ）を備え、その縮径させた上部先端に形成したフランジｆｌ（及びＯリング）を介して真空容器Ｍｏに着脱自在に取り付けられる。センサ本体Ｓｂ内には、フィラメント１と、グリッド２と、イオンコレクタ３とが設けられている。
【００１８】
フィラメント１は、φ０．１〜０．２ｍｍの範囲の線材をヘアピン状に成形したもので構成される。線材としては、表面をイットリアで覆ったイリジウムやタングステン等の金属製のものが用いられる。そして、フィラメント１の両自由端がセンサ本体Ｓｂ内に図示省略の絶縁体を介して突設させた支持ピン１１ａ，１１ｂに接続され、センサ本体Ｓｂ内の所定位置に位置決め支持されるようにしている。
【００１９】
フィラメント１に隣接配置されるグリッド２は、φ０．１ｍｍ〜０．２ｍｍの線材をコイル状に巻回して円筒状の輪郭を持つように成形したもので構成される。線材としては、タングステン、モリブデン、表面を白金で被覆したモリブデン、タンタル、白金、イリジウム、白金とイリジウムの合金、ニッケル、ニッケルと鉄との合金、ステンレスまたはこれらから選択された少なくとも二種類の合金製のものが用いられる。そして、グリッド２の一端が、図示省略の絶縁体を介してセンサ本体Ｓｂ内に突設させた支持ピン２１ａに接続され、センサ本体Ｓｂ内の位置決め支持されるようになっている。なお、グリッド２の形態はこれに限定されるものではなく、上記線材を格子状に組み付けて筒状の輪郭を持つように成形したものや、パンチングメタルまたはフォトエッチングシートを筒状に成形したものを用いることができる。
【００２０】
グリッド２の軸線に沿ってのびるようにグリッド２に挿設されるイオンコレクタ３は、φ０．１〜０．２ｍｍの範囲の線材で構成される。線材としては、モリブデン、表面を白金で被覆したモリブデン、タンタル、白金、イリジウム、白金とイリジウムの合金、ニッケル、ニッケルと鉄との合金またはこれから選択された少なくとも二種類の合金製のものが用いられる。そして、イオンコレクタ３の一端が、図示省略の絶縁体を介してセンサ本体Ｓｂ内に突設させた支持ピン３１ａに接続され、センサ本体Ｓｂ内の所定位置に位置決めされ支持される。
【００２１】
一方、制御ユニットＣｕは筐体Ｆ（図１中、一点鎖線で示す）を備え、その筐体Ｆ内に、コンピューター、メモリやシーケンサ等を備える制御手段Ｃｐが内蔵されている。制御手段Ｃｐはまた、後述の各電源の作動を制御したり、電流計Ａにて測定されたイオン電流値から圧力指示値を算出したり、この算出した後を例えば図示省略のディスプレイに出力したりする処理を含め、各種処理を統括制御するようになっている。筐体Ｆ内には、フィラメント１に直流電流を通電してフィラメント１を赤熱（点灯）するフィラメント点灯用の第１電源Ｅ１と、グリッド２に対してフィラメント１より高い電位を与えるグリッド用の第２電源Ｅ２と、支持ピン３１ａに接続されてイオンコレクタ３を流れるイオン電流を検出する電流計Ａとが内蔵されている。この場合、第１電源Ｅ１は、フィラメント１に印加する電圧（または通電電流）が可変であり、これにより、真空容器Ｍｏ内の圧力範囲に応じて、フィラメント１とグリッド２との間のエミッション電流を、第１エミッション電流（１０μＡ）と、第２エミッション電流（１ｍＡ）との二段階に制御可能とし、例えば、１×１Ｐａ〜１×１０−２Ｐａの範囲の圧力を第１エミッション電流、１×１０−２Ｐａ〜１×１０−６Ｐａの範囲の圧力を第２エミッション電流で測定できるようにしている。本実施形態では、第１電源Ｅ１が電流切換部の役割を兼用する。
【００２２】
また、制御ユニットＣｕの制御手段Ｃｐは、図１に示すように、真空処理装置の制御コントローラ、タブレットまたはパソコンといった外部機器Ｅｄに、通信回線としてのＵＳＢケーブルＣｋを介して通信自在に接続することができ、熱陰極電離真空計ＩＧと外部機器Ｅｄとで構成される圧力測定システムＭＳとしてもよい。なお、通信自在な接続方法はこれに限定されるものではなく、有線の他、赤外線通信、近距離通信規格であるＢｌｕｅｔｏｏｔｈ（登録商標）やＷｉ−Ｆｉ等を利用することもできる。そして、真空容器Ｍｏ内の圧力を測定するのに際しては、センサ本体Ｓｂを真空容器Ｍｏに装着した状態で真空容器Ｍｏが真空排気されると、制御手段Ｃｐは、第１電源Ｅ１により比較的低い電圧でフィラメント１に通電してこのフィラメント１を点灯させて熱電子を放出させると共に、第２電源Ｅ２によりフィラメント１より高い電位をグリッド２に付与する（この場合、フィラメント１とグリッド２との間のエミッション電流が第１エミッション電流（１０μＡ）に制御される）。このとき、このグリッド２周辺で熱電子と衝突して生じた気体原子、分子の正イオンがイオンコレクタ３で捕集される。そして、制御手段Ｃｐは、イオンコレクタ３を流れるイオン電流をＩｉ、感度をＳ、フィラメント１とグリッド２との間のエミッション電流をＩｅとして、Ｉｉ＝Ｉｅ×Ｓ×Ｐの関係式から真空容器Ｍｏ内の圧力Ｐを圧力指示値として算出する。このように圧力指示値が算出されると、制御手段Ｃｐは、その圧力指示値を例えば筐体Ｆに組み付けた図示省略のディスプレイに表示したり、または、圧力測定システムＭＳとしているような場合には、ＵＳＢケーブルＣｋを介して外部機器Ｅｄに出力するようになっている。
【００２３】
次に、真空容器Ｍｏ内の圧力低下に伴い、圧力指示値が所定値（例えば１×１０−２Ｐａ）を超えると、第１電源Ｅ１により比較的高い電圧でフィラメント１に通電され（この場合、フィラメント１とグリッド２との間のエミッション電流が、第２エミッション電流（１ｍＡ）に切り換えられて制御される）、上記と同様にして、イオンコレクタ３を流れるイオン電流Ｉｉから真空容器Ｍｏ内の圧力Ｐを圧力指示値として算出する。この場合、感度Ｓとしては、予め実験的に求められたもの（例えば０．０６／Ｐａ）や、公知の校正で求められた各センサ本体Ｓｂに固有の感度が標準感度として用いられ、制御手段Ｃｐの記憶部（図示せず）に事前に記憶されている。
【００２４】
ところで、何等かの原因で真空容器Ｍｏ内の分子や原子がイオンコレクタ３に付着して汚染されると、汚染層に起因して正イオンのイオンコレクタ３への流入が妨げられる。特に、比較的大きい第２エミッション電流により圧力測定しているような場合には、フィラメント１からの熱電子の放出量が多くなって気体原子、分子の正イオンの量が多くなるが、有効に流入できないことで、実際の圧力より一層低い圧力を圧力指示値として指示してしまい、これでは、比較的低い圧力範囲（１×１０−２Ｐａ〜１×１０−６Ｐａ）を正確に測定できない。このため、特に、第２ミッション電流で圧力測定する際に感度Ｓを適宜補正して、真空容器Ｍｏ内の圧力を常時正確に指示できるようにする必要がある。そこで、本実施形態では、予め設定された感度Ｓを標準感度として、制御手段Ｃｐは、第１エミッション電流と第２エミッション電流にて上記関係式から第１圧力及び第２圧力を夫々検出し、第２エミッション電流にて真空容器Ｍｏ内の圧力を指示するのに際しては、第１圧力と第２圧力とに基づいて標準感度を補正した感度を用いることとした。以下に、第１圧力と第２圧力とに基づいて標準感度を補正すれば、正確な圧力指示値が得られることにつき、発明者らの実験を含め、図２を参照しつつ、本実施形態の圧力測定方法につき具体的に説明する。
【００２５】
発明者らが実施した実験では、センサ本体Ｓｂとして新品のもの（試料１）、センサ内部が汚染により若干変色した（つまり、イオンコレクタ３表面への正イオンの流入が妨げられる）もの（試料２）及び、センサ内部が汚染により変色したもの（試料３）を用意した。次に、試料１を真空容器Ｍｏの所定位置に装着した後、真空ポンプを作動させてその内部を真空排気した。そして、特に図示して説明しないが、真空ポンプから真空容器Ｍｏに通じる排気管に介設したコンダクタンスバルブの開度を適宜調整して真空容器Ｍｏが所定圧力（例えば、１×１０−３Ｐａ）に略一定に保持されるようにした。そして、当初は、エミッション電流を第１エミッション電流に設定し、所定時間経過すると、第２エミッション電流に切り換え、両エミッション電流にて上記に従い圧力指示値を算出し、その結果を図２中、実線で示す。これによれば、エミッション電流の切換時、放出ガスなどの影響を受けて圧力指示値が変動しているものの、エミッション電流を第１エミッション電流と第２エミッション電流とに切り換えても、同等の圧力指示値を指示している。
【００２６】
次に、試料２を真空容器Ｍｏの所定位置に装着した後、上記と同様にして圧力を測定すると、図２中、点線で示すように、エミッション電流が比較的低い第１エミッション電流に設定されているとき、その圧力指示値の変化は殆どないものの、エミッション電流を第２エミッション電流に切り換えると、圧力指示値が約２０％低くなっている。更に、試料３を真空容器Ｍｏの所定位置に装着した後、上記と同様にして圧力を測定すると、図２中、一点鎖線で示すように、エミッション電流が比較的低い第１エミッション電流に設定されているとき、その圧力指示値の変化は殆どないものの、エミッション電流を第２エミッション電流に切り換えると、圧力指示値が約８０％低くなっている。
【００２７】
以上からすると、イオンコレクタ３の汚染状態に応じて標準感度を補正すれば、上記所定圧力（１×１０−３Ｐａ）より低い真空容器Ｍｏ内の圧力を第２エミッション電流にて正確に測定できる（即ち、正確な圧力指示値が得られる）ことが判る。この知見を基に、真空容器Ｍｏが所定圧力（１×１０−３Ｐａ）に保持される状態で第１エミッション電流と第２エミッション電流とで第１圧力及び第２圧力を夫々検出し、第２圧力に対する第１圧力の圧力比を求め、これを制御手段Ｃｐの記憶部に記憶させておく。そして、真空容器Ｍｏ内を更に真空排気し、比較的高い第２エミッション電流によりそのときの圧力を測定する場合には、制御手段Ｃｐは、標準感度に上記圧力比を乗じて感度を補正し、この補正後の感度を用いて上記関係式から圧力指示値を得ればよい。その結果、熱陰極電離真空計ＩＧ以外の基準真空計を利用することなく、正確な圧力指示値を得ることが可能になる。この場合、真空容器Ｍｏ内を大気開放したりする必要はなく、有利である。
【００２８】
上記においては、真空容器Ｍｏ内の圧力が高くなる程、圧力Ｐとイオン電流Ｉｉとの関係にリニアリティがなくなる一方で、圧力が低いときには、真空容器Ｍｏの壁面等から放出されるガス量などの影響を受け易くなる。このため、上記のようにして感度を補正する場合、１×１０−２Ｐａ〜１×１０−４Ｐａの圧力範囲で実施することが好ましい。また、標準感度に上記圧力比を乗じて感度を補正するとき、制御手段Ｃｐは、基準感度に対する補正後の感度の比を求め、この求めた比が予め設定された所定値を超えている場合、センサ本体Ｓｂの構成要素としてのフィラメント１やイオンコレクタ３のセンサ異常（寿命を含む）を判断するようにしてもよい。この場合、制御手段Ｃｐは、例えば筐体Ｆに付設したディスプレイやスピーカー（図示せず）といった報知手段を介してセンサ異常を報知することができる。他方で、圧力測定システムＭＳとしている場合には、外部機器Ｅｄの記憶部（図示せず）にセンサ異常（寿命を含む）を判断するための閾値を予め記憶させておき、制御手段Ｃｐが基準感度に対する補正後の感度の比を求めると、この求めた比を外部機器Ｅｄに出力し、外部機器Ｅｄの演算部（図示せず）にて、入力された比と閾値とからセンサ異常を判断するようにしてもよい。この場合、制御手段Ｃｐが、外部機器Ｅｄに出力する出力手段を兼用する。また、センサ異常と判断したような場合には、外部機器Ｅｄが有するディスプレイやスピーカー（図示せず）といった報知手段を介してセンサ異常を報知することができる。
【００２９】
以上、本発明の実施形態について説明したが、本発明は上記のものに限定されるものではなく、本発明の技術思想を逸脱しない範囲で適宜変形が可能である。上記実施形態では、真空容器Ｍｏが所定圧力（１×１０−３Ｐａ）に保持される状態で、感度補正を行うものを例に説明したが、これに限定されるものではない。例えば、真空容器Ｍｏ内を真空ポンプにより所定圧力（例えば１×１０−５Ｐａ）まで真空排気した後、コンダクタンスバルブを完全に閉じて真空容器Ｍｏ内を隔絶したビルドアップ状態とし、このときの第１圧力と第２圧力との関係から感度補正を行うこともできる。
【００３０】
即ち、図３を参照して、真空容器Ｍｏのビルドアップ状態では、例えばその壁面からの放出ガスの影響を受けて真空容器Ｍｏ内の圧力は時間の経過に伴い上昇する。ビルトアップ状態の当初は、第２エミッション電流によりそのときの圧力指示値が算出されるが、イオンコレクタ３の汚染状態に応じてその圧力指示値は次第に低下する（図３中、点線と一点鎖線参照）。そこで、制御手段Ｃｐは、第２圧力を算出したとき、これに併せて、単位時間あたりの第２圧力の圧力上昇量を求め、これを制御手段Ｃｐの記憶部に記憶させる。次に、真空容器Ｍｏ内の圧力が所定圧力（１×１０−２Ｐａ）まで上昇すると、制御手段Ｃｐは、第１エミッション電流（１０μＡ）に切り換えてそのときの圧力指示値を第１圧力として算出し、単位時間あたりの第１圧力の圧力上昇量を求め、夫々算出した圧力上昇量から、第１圧力に対する第２圧力の圧力上昇比を求める。その後にコンダクタンスバルブの開度をあげて真空容器Ｍｏ内を更に真空排気し、第２エミッション電流によりそのときの圧力を測定する場合には、制御手段Ｃｐは、標準感度に上記圧力上昇比を乗じて感度を補正し、この補正後の感度を用いて上記関係式から圧力指示値を得る。
【００３１】
また、変形例に係るものでは、真空ポンプにより真空容器Ｍｏ内を大気圧から真空排気している状態で、第１圧力と第２圧力との関係から感度補正を行うこともできる。即ち、図４を参照して、真空容器Ｍｏ内の真空排気を開始した当初は、第１エミッション電流により第１圧力を検出し、真空容器Ｍｏ内の圧力が所定圧力（８×１０−３Ｐａ）まで下降すると、第２エミッション電流に切り換えて第２圧力を検出するが、イオンコレクタ３の汚染状態に応じてその圧力指示値は次第に低下する（図４中、点線と一点鎖線参照）。そこで、制御手段Ｃｐは、第１圧力を算出したとき、これに併せて、単位時間あたりの第１圧力の圧力降下速度を求め、この圧力降下速度から第２エミッション電流に切り換えた後の真空容器Ｍｏ内の圧力を推測し、これを推定圧力として制御手段Ｃｐの記憶部に記憶させる。次に、真空容器Ｍｏ内の圧力が所定圧力まで降下したら、制御手段Ｃｐは、第２エミッション電流に切り換えてそのときの圧力指示値を第２圧力として算出し、これに併せて、上記推定圧力に対する第２圧力との比を求める。真空容器Ｍｏ内の真空排気を継続し、第２エミッション電流によりそのときの圧力を測定する場合には、制御手段Ｃｐは、標準感度に上記で計算された比を乗じて感度を補正し、この補正後の感度を用いて上記関係式から圧力指示値を得ればよい。なお、上記実施形態では、エミッション電流を二段階に可変制御するものを例に説明したが、これに限定されるものではなく、複数段でエミッション電流を切り換えて圧力測定するものにも本発明は適用できる。
【００３２】
ところで、上記実施形態では、例えば、真空容器Ｍｏが所定圧力に保持される状態で第１エミッション電流と第２エミッション電流とで第１圧力及び第２圧力を夫々検出した後、第２圧力に対する第１圧力の圧力比を算出したり、これを記憶したりすることの全てを制御手段Ｃｐで行うものを例に説明したが、このように全ての処理を熱陰極電離真空計ＩＧに集中させるのでは、例えば高機能の制御手段Ｃｐが必要になったり、制御プログラムが複雑になったりして、熱陰極電離真空計ＩＧ自体の構成の複雑化やコストアップを招来するなどの問題が生じる。そこで、圧力測定システムＭＳとしているような場合には、制御手段Ｃｐが、上記関係式から圧力指示値を求め、この求めた圧力指示値を外部機器Ｅｄに出力する処理のみを行うように構成する一方で、外部機器Ｅｄの記憶部に基準感度を記憶させると共に、外部機器Ｅｄの演算部が、制御手段Ｃｐからの第１圧力と第２圧力との入力を受けると、第２圧力に対する第１圧力の圧力比を求め、標準感度に上記圧力比を乗じて感度を補正し、この補正後の感度を用いて上記関係式から圧力指示値を得る一連の処理を行うようにしてもよい。これによれば、熱陰極電離真空計ＩＧ自体の構成をより簡単なものにでき、有利である。
【符号の説明】
【００３３】
ＭＳ…圧力測定システム、Ｍｏ…真空容器（測定対象物）、Ｅｄ…外部機器、ＩＧ…熱陰極電離真空計、Ｃｐ…制御手段（電流切換部）、Ｓｂ…センサ本体、１…フィラメント、２…グリッド、３…イオンコレクタ。
【図１】
2020118555.tif 000003
【図２】
2020118555.tif 000004
【図３】
2020118555.tif 000005
【図４】
2020118555.tif 000006